【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
第１の側（Ｌ１）及び第２の側（Ｌ２）を有する交流（ＡＣ）電源を有する機械用の回路であって、前記回路は、
開始側及び終了側を伴う巻線と、
前記第１の側と前記巻線開始側との間に接続される第１の電源スイッチと、
前記第２の側と前記巻線開始側との間に接続される第２の電源スイッチと、
前記第１の側と前記巻線終了側との間に接続される第３の電源スイッチと、
前記第２の側と前記巻線終了側との間に接続される第４の電源スイッチと、
モータ制御装置であって、
ＡＣ極性検出器からの信号とホール効果デバイスからの別の信号を受信し、前記信号と前記別の信号に基づいて、前記巻線を流れる電流の適切な方向を取得するために前記電源スイッチのうちのどのスイッチを開閉するかを決定し、
前記第１の電源スイッチ及び前記第４の電源スイッチを閉じ、前記第２の電源スイッチ及び前記第３の電源スイッチを開き、前記第１の側から前記第２の側まで電流を流れさせる、または、
前記第２の電源スイッチ及び前記第３の電源スイッチを閉じ、前記第１の電源スイッチ及び第４の電源スイッチを開き、前記第２の側から前記第１の側まで電流を流れさせる、前記モータ制御装置と、
を含む、前記回路。
【請求項２】
前記回路は、ＡＣ極性検出器とホール効果デバイスとを備え、
前記ＡＣ極性検出器は極性信号を前記信号として出力し、
前記ホール効果デバイスはホール効果信号を前記別の信号として出力し、
前記ＡＣ極性検出器及び前記ホール効果デバイスから前記モータ制御装置により受信された前記信号及び前記別の信号は、前記極性信号及び前記ホール効果信号を含み、
前記極性信号の値及びホール効果信号の値に基づいて、
前記モータ制御装置は、
前記第１の電源スイッチ及び前記第４の電源スイッチを閉じ、前記第２の電源スイッチ及び前記第３の電源スイッチを開き、前記第１の側から前記第２の側まで電流を流れさせる、または、
前記第２の電源スイッチ及び前記第３の電源スイッチを閉じ、前記第１の電源スイッチ及び第４の電源スイッチを開き、前記第２の側から前記第１の側まで電流を流れさせる、請求項１に記載の回路。
【請求項３】
前記回路は、ＡＣ極性検出器及びホール効果デバイスを備え、
前記ＡＣ極性検出器は高値または低値を有する極性信号を前記信号として出力し、
前記ホール効果デバイスは高値または低値を有するホール効果信号を前記別の信号として出力し、
前記ＡＣ極性検出器及び前記ホール効果デバイスから前記モータ制御装置により受信された前記信号及び前記別の信号は、前記極性信号及び前記ホール効果信号を含み、
前記モータ制御装置は、
前記ホール効果信号が高くＡＣ極性検出信号が高いとき、前記第２の電源スイッチ及び前記第３の電源スイッチを開き、前記第１の電源スイッチ及び第４の電源スイッチを閉じ、
前記ホール効果信号が高くＡＣ極性検出信号が低いとき、前記第１の電源スイッチ及び前記第４の電源スイッチを開き、前記第２の電源スイッチ及び前記第３の電源スイッチを閉じ、
前記ホール効果信号が低くＡＣ極性検出信号が高いとき、前記第１の電源スイッチ及び前記第４の電源スイッチを開き、前記第２の電源スイッチ及び前記第３の電源スイッチを閉じ、
前記ホール効果信号が低くＡＣ極性検出信号が低いとき、前記第２の電源スイッチ及び前記第３の電源スイッチを開き、前記第１の電源スイッチ及び第４の電源スイッチを閉じる、請求項１に記載の回路。
【請求項４】
前記回路は、前記ＡＣ電源から伝送される交流（ＡＣ）電力を受け、前記ＡＣ電力をＤＣ電力に変換し、前記ＤＣ電力を前記回路の１つ以上の構成要素に伝送する、直流（ＤＣ）電源装置を備える、請求項１に記載の回路。
【請求項５】
各電源スイッチは、全波ブリッジ整流器として構成される４つのダイオードを備える、請求項１に記載の回路。
【請求項６】
前記モータ制御装置は、プロセッサ、特定用途集積回路（ＡＳＩＣ）、フィールドプログラマブルゲートアレイ信号（ＦＰＧＡ）、プログラム可能論理デバイス（ＰＬＤ）、ゲート論理、及びトランジスタ論理のうちの少なくとも１つを備える、請求項１に記載の回路。
【請求項７】
各電源スイッチはＭＯＳＦＥＴを備える、請求項１に記載の回路。
【請求項８】
各電源スイッチは、高速ＳＳＲと、全波ブリッジ整流器として構成される複数のダイオードとを備える、請求項１に記載の回路。
【請求項９】
前記機械はモータを備える、請求項１に記載の回路。
【請求項１０】
前記ＡＣ極性検出器から受信された信号は、第１の側（Ｌ１）または第２の側（Ｌ２）のどちらがより高い電圧を有するかを示す、請求項１に記載の回路。
【請求項１１】
前記ＡＣ極性検出器から受信された信号は、
第１の側（Ｌ１）の電圧が第２の側（Ｌ２）の電圧よりも高いときに、高値を有し、
第１の側の電圧（Ｌ１）が第２の側の電圧（Ｌ２）よりも低いときに、低値を有する、請求項１０に記載の回路。
【請求項１２】
前記ホール効果デバイスから受信された前記別の信号は、前記機械の固定子に対する前記機械の回転子の位置を示す、請求項１に記載の回路。
【請求項１３】
前記ホール効果デバイスから受信された前記別の信号は、前記固定子の固定子歯に対する前記回転子の磁石の極性を示すことによって位置を示す、請求項１２に記載の回路。
【請求項１４】
前記ホール効果デバイスから受信された前記別の信号は、
前記回転子の磁石の北磁極が前記固定子に面しているときに、高値を有し、
前記回転子の磁石の南磁極が前記固定子に面しているときに、低値を有する、請求項１２に記載の回路。
【請求項１５】
前記極性信号は、第１の側（Ｌ１）または第２の側（Ｌ２）のどちらがより高い電圧を有するかを示す、請求項２に記載の回路。
【請求項１６】
前記極性信号は、
第１の側の電圧（Ｌ１）が第２の側の電圧（Ｌ２）よりも高いときに、高値を有し、
第１の側の電圧（Ｌ１）が第２の側の電圧（Ｌ２）よりも低いときに、低値を有する、請求項１５に記載の回路。
【請求項１７】
前記ホール効果信号は、前記機械の固定子に対する前記機械の回転子の位置を示す、請求項２に記載の回路。
【請求項１８】
前記ホール効果デバイスは、前記固定子の固定子歯に対する前記回転子の磁石の極性を感知し、前記固定子の歯に対する前記磁石の極性に基づいて、前記ホール効果信号の値を出力する、請求項１７に記載の回路。
【請求項１９】
前記ホール効果デバイスは、
前記固定子に対する前記回転子の磁石の極性を感知し、
前記回転子の磁石の北磁極が固定子に面しているとき、前記ホール効果信号の高値を出力し、
前記回転子の磁石の南磁極が固定子に向いているとき、前記ホール効果信号の低値を出力する、請求項１７に記載の回路。
【請求項２０】
第１の側（Ｌ１）及び第２の側（Ｌ２）を有する交流（ＡＣ）電源を有する機械用の回路であって、前記回路は、
第１の開始側及び第１の終了側を伴う第１の巻線と、
第２の開始側及び第２の終了側を伴う第２の巻線と、
前記ＡＣ電源の第１の側と前記第１の巻線開始側との間に接続される第１の電源スイッチと、
前記ＡＣ電源の第２の側と前記第１の巻線開始側との間に接続される第２の電源スイッチと、
前記ＡＣ電源の第１の側と前記第１の巻線終了側との間に接続される第３の電源スイッチと、
前記ＡＣ電源の第２の側と前記第１の巻線終了側との間に接続される第４の電源スイッチと、
前記ＡＣ電源の第１の側と前記第２の巻線終了側との間に接続される第５の電源スイッチと、
前記ＡＣ電源の第２の側と前記第２の巻線終了側との間に接続される第６の電源スイッチと、
制御回路であって、
前記第１の電源スイッチ及び前記第６の電源スイッチを閉じ、前記第２の電源スイッチ、前記第３の電源スイッチ、前記第４の電源スイッチ、及び前記第５の電源スイッチを開き、遅速動作のために前記第１の巻線及び前記第２の巻線を通じて電流を流れさせる、または、
前記第３の電源スイッチ及び前記第４の電源スイッチを閉じ、前記第１の電源スイッチ、前記第２の電源スイッチ、前記第５の電源スイッチ、及び前記第６の電源スイッチを開き、低速動作のために前記第１の巻線及び前記第２の巻線を通じて電流を流れさせる、または、
前記第１の電源スイッチ及び前記第５の電源スイッチを閉じ、前記第２の電源スイッチ、前記第３の電源スイッチ、前記第４の電源スイッチ、及び前記第６の電源スイッチを開き、全速動作のために前記第１の巻線を通じて電流を流れさせる、または、
前記第２の電源スイッチ及び前記第４の電源スイッチを閉じ、前記第１の電源スイッチ、前記第３の電源スイッチ、前記第５の電源スイッチ、及び前記第６の電源スイッチを開き、全速動作のために前記第１の巻線を通じて電流を流れさせる、前記制御回路と、
を備える、前記回路。
【請求項２１】
前記制御回路は、
極性信号を出力するＡＣ極性検出器と、
ホール効果信号を出力するホール効果デバイスと、
前記極性信号及び前記ホール効果信号を受信し、前記極性信号の値及びホール効果信号の値に基づいて、１つ以上の電源スイッチを閉じる、モータ制御装置と、
を備える、請求項２０に記載の回路。
【請求項２２】
前記制御回路は、ＡＣ極性検出器及びホール効果デバイスから信号を受信し、前記巻線を流れる電流フローの適切な方向を取得するために前記電源スイッチのどちらを閉じるかを判定する、モータ制御装置を備える、請求項２０に記載の回路。
【請求項２３】
第１の側（Ｌ１）及び第２の側（Ｌ２）を有する交流（ＡＣ）電源を有する機械用の回路であって、前記回路は、
２つ以上の電源スイッチの対と、
１つ以上の巻線と、
制御回路であって、
一つの電源スイッチの対を閉じ、前記ＡＣ電源の第１の側から前記１つ以上の巻線を通じて前記ＡＣ電源の前記第２の側まで電流を流れさせ、
別の電源スイッチの対を閉じ、前記ＡＣ電源の前記第２の側から前記１つ以上の巻線を通じて前記ＡＣ電源の前記第１の側まで電流を流れさせる、前記制御回路と、
を備える、前記回路。
【請求項２４】
前記制御回路は、
極性信号を出力するＡＣ極性検出器と、
ホール効果信号を出力するホール効果デバイスと、
前記極性信号及び前記ホール効果信号を受信し、前記極性信号の値及びホール効果信号の値に基づいて、１つ以上の電源スイッチを閉じる、モータ制御装置と、
を備える、請求項２３に記載の回路。
【請求項２５】
前記制御回路はモータ制御装置を備え、
前記モータ制御装置は、ＡＣ極性検出器から信号を受信し、ホール効果デバイスから別の信号を受信し、前記信号及び前記別の信号に基づいて、前記巻線を流れる電流フローの適切な方向を取得するために前記電源スイッチの開閉を判定する、請求項２３に記載の回路。
【請求項２６】
分数速度動作は、完全同期速度よりも遅い速度での動作である、請求項２０に記載の回路。
【請求項２７】
前記ＡＣ極性検出器から受信した信号は、第１の側（Ｌ１）または第２の側（Ｌ２）のどちらがより高い電圧を有するかを示す、請求項２５に記載の回路。
【請求項２８】
前記ＡＣ極性検出器から受信された信号は、
第１の側の電圧（Ｌ１）が第２の側の電圧（Ｌ２）よりも高いときに、高値を有し、
第１の側の電圧（Ｌ１）が第２の側の電圧（Ｌ２）よりも低いときに、低値を有する、請求項２７に記載の回路。
【請求項２９】
前記ホール効果デバイスから受信された前記別の信号は、前記機械の固定子に対する前記機械の回転子の位置を示す、請求項２５に記載の回路。
【請求項３０】
前記ホール効果デバイスから受信された前記別の信号は、前記固定子の固定子歯に対する前記回転子の磁石の極性を示すことによって位置を示す、請求項２９に記載の回路。
【請求項３１】
前記ホール効果デバイスから受信された前記別の信号は、
前記回転子の磁石の北磁極が前記固定子に面しているときに、高値を有し、
前記回転子の磁石の南磁極が前記固定子に面しているときに、低値を有する、請求項２９に記載の回路。